(57)【要約】【課題】定電流回路を削減し、消費電流の削減や低コスト化を図り、又、電源利用効率の向上する。【解決手段】例えば定電流回路と、緑の表示用ＬＥＤ回路と、赤の表示用ＬＥＤ回路を直列接続し、各表示用ＬＥＤと同一電位差を生ずる抵抗を有する抵抗回路をそれぞれ表示用ＬＥＤ回路に並列接続し、表示用ＬＥＤ回路の対応スイッチング素子とこれと並列接続される抵抗回路の対応スイッチング素子を相反して開閉制御すると共に、電源回路と並列接続する別の経路に、定電流回路、前記と同様の抵抗回路が並列接続される青の表示用ＬＥＤ回路と、定電圧ダイオードを直列接続して設け、定電圧ダイオードにより出力端子から所定電圧を取り出して制御回路に供給する表示用ＬＥＤの駆動回路。【選択図】  図１
2004317786.tif 000002
【特許請求の範囲】
【請求項１】
定電流回路と、第１の表示用ＬＥＤに対応スイッチング素子が直列接続される第１の表示用ＬＥＤ回路と、第２の表示用ＬＥＤに対応スイッチング素子が直列接続される第２の表示用ＬＥＤ回路とを直列接続する経路を設け、第１の表示用ＬＥＤによる電位差と同一電位差を生ずる第１の抵抗に対応スイッチング素子が直列接続される第１の抵抗回路を第１の表示用ＬＥＤ回路と並列接続して設置し、第２の表示用ＬＥＤによる電位差と同一電位差を生ずる第２の抵抗に対応スイッチング素子が直列接続される第２の抵抗回路を第２の表示用ＬＥＤ回路と並列接続して設置し、表示用ＬＥＤ回路の対応スイッチング素子と該表示用ＬＥＤ回路と並列接続される抵抗回路の対応スイッチング素子を相反して開閉制御することを特徴とする表示用ＬＥＤの駆動回路。
【請求項２】
前記第２の抵抗回路が、前記第２の抵抗及び対応スイッチング素子に遮断用スイッチング素子が直列接続されるものであり、上流側に設置される第１の表示用ＬＥＤ回路の対応スイッチング素子と同調して、該遮断用スイッチング素子を開閉制御することを特徴とする請求項１記載の表示用ＬＥＤの駆動回路。
【請求項３】
定電流回路と、表示用ＬＥＤに対応スイッチング素子が直列接続される表示用ＬＥＤ回路と、定電圧ダイオードとを直列接続する経路を設け、該表示用ＬＥＤによる電位差と同一電位差を生ずる抵抗に対応スイッチング素子が直列接続される抵抗回路を表示用ＬＥＤと並列接続して設置し、該表示用ＬＥＤ回路の対応スイッチング素子と該抵抗回路の対応スイッチング素子を相反して開閉制御すると共に、該表示用ＬＥＤ回路と該定電圧ダイオードの間に電圧を取り出す出力端子を設けることを特徴とする表示用ＬＥＤの駆動回路。
【請求項４】
電源回路に並列に接続される第１の電流経路と第２の電流経路を備え、該第１の経路に、第１の定電流回路と、第１の表示用ＬＥＤに対応スイッチング素子が直列接続される第１の表示用ＬＥＤ回路と、第２の表示用ＬＥＤに対応スイッチング素子が直列接続される第２の表示用ＬＥＤ回路とを直列接続して設置し、第１の表示用ＬＥＤによる電位差と同一電位差を生ずる第１の抵抗に対応スイッチング素子が直列接続される第１の抵抗回路を第１の表示用ＬＥＤ回路と並列接続して設置し、第２の表示用ＬＥＤによる電位差と同一電位差を生ずる第２の抵抗に遮断用スイッチング素子及び対応スイッチング素子が直列接続される第２の抵抗回路を第２の表示用ＬＥＤ回路に並列接続して設置し、該第２の経路に、第２の定電流回路と、第３の表示用ＬＥＤに対応スイッチング素子が直列接続される第３の表示用ＬＥＤ回路と、定電圧ダイオードとを設置し、第３の表示用ＬＥＤによる電位差と同一電位差を生ずる第３の抵抗に対応スイッチング素子が直列接続される第３の抵抗回路を第３の表示用ＬＥＤと並列接続して設置すると共に、各表示用ＬＥＤ回路の対応スイッチング素子と各表示用ＬＥＤ回路と対応して並列接続される各抵抗回路の対応スイッチング素子を相反して開閉制御し、上流側に設置される第１の表示用ＬＥＤ回路の対応スイッチング素子と同調して該遮断用スイッチング素子を開閉制御し、更に第３の表示用ＬＥＤ回路と該定電圧ダイオードの間に電圧を取り出す出力端子を設けることを特徴とする表示用ＬＥＤの駆動回路。
【請求項５】
前記第１と第３の表示用ＬＥＤの何れか一方が緑、他方が青の表示用ＬＥＤであることを特徴とする請求項４記載の表示用ＬＥＤの駆動回路。
【発明の詳細な説明】
【０００１】
【発明の属する技術分野】
本発明は、例えば大画面で映像を表示するＬＥＤ表示装置に多数配設されるＬＥＤユニット等で用いられる、赤色（Ｒ）、緑色（Ｇ）、青色（Ｂ）の表示用ＬＥＤの駆動回路に関する。
【０００２】
【従来の技術】
従来、ＬＥＤユニットを多数配設して大画面で映像を表示するＬＥＤ表示装置が知られているが、そのＬＥＤユニットの表示用ＬＥＤの駆動回路は例えば図３のような構成になっている。図３の駆動回路は、電源回路４に対し、赤の表示用ＬＥＤ１ｒ、緑の表示用ＬＥＤ１ｇ、青の表示用ＬＥＤ１ｂが並列に接続されていると共に、表示用ＬＥＤ１ｒ、１ｇ、１ｂはそれぞれ電流を一定量に制限する定電流回路２或いは電流制限回路とスイッチング素子３に直列に接続され、更に各表示用ＬＥＤ１ｒ、１ｇ、１ｂに対応する各スイッチング素子３ｒ、３ｇ、３ｂが接地され、各スイッチング素子３ｒ、３ｇ、３ｂにそれぞれ制御信号入力端子５ｒ、５ｇ、５ｂから制御信号を入力して開閉を制御し、負荷である表示用ＬＥＤ１ｒ、１ｇ、１ｂの点灯及び消灯を制御する構成である。
【０００３】
尚、特許文献１〜３にはＬＥＤ表示装置等で用いられる表示用ＬＥＤの駆動回路に関連する技術が開示されており、特許文献１には、その図１等に、直流電源を赤、緑、青のＬＥＤセットに接続すると共に、各ＬＥＤセットを通る最大電流をプログラムする抵抗値を設定し、各ＬＥＤセットを通る最大電流を一定に維持する構成等が開示されている。
【０００４】
また、特許文献２には、その図１、図３等に、赤、緑、青のＬＥＤに接続された共通ドライバーと、電源回路からの電圧を各発光色のＬＥＤに順次切り替えて供給する第１の切替手段と、第１の切替手段の切替動作と同期してドライバーに各発光色用の表示データを順次切り替えて供給する第２の切替手段を備える駆動回路や、更に各発光色のＬＥＤに供給する電圧を各発光色のＬＥＤの電圧降下特性に応じて調節する調節手段を備える駆動回路が開示されている。
【０００５】
また、特許文献３には、複数個のＬＥＤランプ群が一定間隔を開けて疎に配列される帯状基体に実装され、各ＬＥＤランプ群を個別に発光制御するための駆動制御回路に於いて、シフトクロックと同期入力され発光制御データがセットされるシフトレジスタと、ラッチ信号に応じて発光制御データを読込保持するラッチ回路と、イネーブル信号に応じてラッチ回路の発光制御データに従いＬＥＤを点灯駆動するドライブ回路が一体化されている構成が図３等に開示されている。
【０００６】
【特許文献１】特表２００１−５１４４３２号公報
【特許文献２】特開２００２−２４４６１９号公報
【特許文献３】特開平１１−１９１４９４号公報
【０００７】
【発明が解決しようとする課題】
ところで、例えば上記図３の表示用ＬＥＤの駆動回路では、赤の表示用ＬＥＤ１ｒ、緑の表示用ＬＥＤ１ｇ、青の表示用ＬＥＤ１ｂのそれぞれについて定電流回路２等を設けているが、定電流回路２は発熱量が大きいため、定電流回路２を多数設けることにより、駆動回路全体が高温化し、表示用ＬＥＤの故障や寿命の短期化を招くという問題が生ずる。
【０００８】
他方、特許文献２の切替手段や赤、緑、青の表示用ＬＥＤに対して共通の定電流回路を用いる駆動回路では、定電流回路の数を減少し、定電流回路の増加に伴う回路の高温化を防止することは可能であるものの、電源回路からの電圧を各発光色のＬＥＤに順次切り替える切替手段や、その切替動作と同期してドライバーに表示データを供給する切替手段を設ける必要があるため、そのための構造が複雑化し、高コストになるという別の問題を生ずる。
【０００９】
更に、表示用ＬＥＤの駆動回路には、消費電流の削減を図り、ランニングコストを低下し得ることも望まれているが、特許文献２の技術は赤、緑、青のＬＥＤを同時に点灯することができないため、常時点灯可能な構成と同じ明るさを得るためには、赤、緑、青のＬＥＤを１／３時間ずつ切替点灯させる際に、３倍の明るさを得るため３倍の電流を流す必要が生じ、多くの消費電流を必要とする。
【００１０】
本発明は上記課題に鑑み提案するものであり、定電流回路を削減し、駆動回路の温度上昇を抑制してＬＥＤの故障防止や長寿命化を図ることができ、又、所要の明るさを得つつ消費電流の削減や、製造コストやランニングコストの低下を図ることができる表示用ＬＥＤの駆動回路を提供することを目的とする。また、他の目的は、電源利用効率を向上することができる表示用ＬＥＤの駆動回路を提供することにある。
【００１１】
【課題を解決するための手段】
本発明の表示用ＬＥＤの駆動回路は、定電流回路と、第１の表示用ＬＥＤに対応スイッチング素子が直列接続される第１の表示用ＬＥＤ回路と、第２の表示用ＬＥＤに対応スイッチング素子が直列接続される第２の表示用ＬＥＤ回路とを直列接続する経路を設け、第１の表示用ＬＥＤによる電位差と同一電位差を生ずる第１の抵抗に対応スイッチング素子が直列接続される第１の抵抗回路を第１の表示用ＬＥＤ回路と並列接続して設置し、第２の表示用ＬＥＤによる電位差と同一電位差を生ずる第２の抵抗に対応スイッチング素子が直列接続される第２の抵抗回路を第２の表示用ＬＥＤ回路と並列接続して設置し、表示用ＬＥＤ回路の対応スイッチング素子と該表示用ＬＥＤ回路と並列接続される抵抗回路の対応スイッチング素子を相反して開閉制御することを特徴とする。前記構成により、各表示用ＬＥＤに所望の電圧を印加することが可能になると共に、定電流回路を削減し、消費電力の低減やコストダウンを図ることができる。
【００１２】
更に、本発明の表示用ＬＥＤの駆動回路は、前記第２の抵抗回路が、前記第２の抵抗及び対応スイッチング素子に遮断用スイッチング素子が直列接続されるものであり、上流側に設置される第１の表示用ＬＥＤ回路の対応スイッチング素子と同調して、該遮断用スイッチング素子を開閉制御することを特徴とする。前記構成により、直列接続された表示用ＬＥＤの両方が消灯状態の場合に、流通する電流を容易に遮断することが可能となり、消費電流の低減を図ることができる。
【００１３】
また、本発明の表示用ＬＥＤの駆動回路は、定電流回路と、表示用ＬＥＤに対応スイッチング素子が直列接続される表示用ＬＥＤ回路と、定電圧ダイオードとを直列接続する経路を設け、該表示用ＬＥＤによる電位差と同一電位差を生ずる抵抗に対応スイッチング素子が直列接続される抵抗回路を表示用ＬＥＤと並列接続して設置し、該表示用ＬＥＤ回路の対応スイッチング素子と該抵抗回路の対応スイッチング素子を相反して開閉制御すると共に、該表示用ＬＥＤ回路と該定電圧ダイオードの間に電圧を取り出す出力端子を設けることを特徴とする。前記構成により、電源利用効率の向上を図ることができる。
【００１４】
また、本発明の表示用ＬＥＤの駆動回路は、電源回路に並列に接続される第１の電流経路と第２の電流経路を備え、該第１の経路に、第１の定電流回路と、第１の表示用ＬＥＤに対応スイッチング素子が直列接続される第１の表示用ＬＥＤ回路と、第２の表示用ＬＥＤに対応スイッチング素子が直列接続される第２の表示用ＬＥＤ回路とを直列接続して設置し、第１の表示用ＬＥＤによる電位差と同一電位差を生ずる第１の抵抗に対応スイッチング素子が直列接続される第１の抵抗回路を第１の表示用ＬＥＤ回路と並列接続して設置し、第２の表示用ＬＥＤによる電位差と同一電位差を生ずる第２の抵抗に遮断用スイッチング素子及び対応スイッチング素子が直列接続される第２の抵抗回路を第２の表示用ＬＥＤ回路に並列接続して設置し、該第２の経路に、第２の定電流回路と、第３の表示用ＬＥＤに対応スイッチング素子が直列接続される第３の表示用ＬＥＤ回路と、定電圧ダイオードとを設置し、第３の表示用ＬＥＤによる電位差と同一電位差を生ずる第３の抵抗に対応スイッチング素子が直列接続される第３の抵抗回路を第３の表示用ＬＥＤと並列接続して設置すると共に、各表示用ＬＥＤ回路の対応スイッチング素子と各表示用ＬＥＤ回路と対応して並列接続される各抵抗回路の対応スイッチング素子を相反して開閉制御し、上流側に設置される第１の表示用ＬＥＤ回路の対応スイッチング素子と同調して該遮断用スイッチング素子を開閉制御し、更に第３の表示用ＬＥＤ回路と該定電圧ダイオードの間に電圧を取り出す出力端子を設けることを特徴とする。
【００１５】
更に、本発明の表示用ＬＥＤの駆動回路は、前記第１と第３の表示用ＬＥＤの何れか一方が緑、他方が青の表示用ＬＥＤであることを特徴とする。前記構成により、電圧降下を平均化することができ、必要な電源電圧を低めて駆動回路の負担を軽減することが可能となる。
【００１６】
【発明の実施の形態】
次に、本発明の表示用ＬＥＤの駆動回路の実施形態について説明する。図１は第１実施形態に於ける表示用ＬＥＤの駆動回路の構成を示す図である。
【００１７】
第１実施形態の表示用ＬＥＤの駆動回路は、例えばＬＥＤユニットを直列に接続する等で多数配設して構成され大画面で映像を表示するＬＥＤ表示装置のＬＥＤユニットや、イルミネーションなど装飾表示用のＬＥＤユニット等に用いられるものであり、図１に示すように、直流電源の電源回路４と接地電位間に、電源回路４に並列に接続される第１の電流経路Ａと第２の電流経路Ｂを備えている。
【００１８】
第１の電流経路Ａには、その主経路の電源回路側の上方に定電流回路２が設置されており、主経路の定電流回路２の下流側（接地電位側）には、緑（Ｇ）の表示用ＬＥＤ１ｇに対応するスイッチング素子３ｇが直列接続され、制御信号入力端子５ｇからの制御信号に基づきスイッチング素子３ｇを開閉して緑の表示用ＬＥＤ１ｇを駆動する緑の表示用ＬＥＤ回路と、赤（Ｒ）の表示用ＬＥＤ１ｒに対応するスイッチング素子３ｒが直列接続され、制御信号入力端子５ｒからの制御信号に基づきスイッチング素子３ｒを開閉して赤の表示用ＬＥＤ１ｒを駆動する赤の表示用ＬＥＤ回路とが順次設置されている。
【００１９】
また、第１抵抗６ｌに対応するスイッチング素子７ｌが直列接続され、制御信号入力端子８ｌからの制御信号に基づきスイッチング素子７ｌを開閉する第１抵抗回路が、主経路の緑の表示用ＬＥＤ１ｇ及び対応するスイッチング素子３ｇ或いは緑の表示用ＬＥＤ回路に対し、並列接続して設置されている。前記第１抵抗６ｌの抵抗値は、第１の電流経路Ａの定電流回路２で制御される電流が全て表示用ＬＥＤ１ｇに流れた場合の表示用ＬＥＤ１ｇの両端に発生する電位差（順方向電圧）と、同電流が全て第１抵抗６ｌに流れた場合の第１抵抗６ｌの両端に発生する電位差が等しくなるように設定され、前記電位差は例えば３．５Ｖである。
【００２０】
更に、第２抵抗６ｍに遮断用スイッチング素子９及びその下流側に第２抵抗６ｍに対応するスイッチング素子７ｍが直列接続され、制御信号入力端子１０からの制御信号に基づき遮断用スイッチング素子９を開閉すると共に、制御信号入力端子８ｍからの制御信号に基づきスイッチング素子７ｍを開閉する第２抵抗回路が、主経路の赤の表示用ＬＥＤ１ｒ及び対応するスイッチング素子３ｒ或いは赤の表示用ＬＥＤ回路に対し、並列接続して設置されている。前記第２抵抗６ｍの抵抗値は、第１の電流経路Ａの定電流回路２で制御される電流が全て表示用ＬＥＤ１ｒに流れた場合の表示用ＬＥＤ１ｒの両端に発生する電位差（順方向電圧）と、同電流が全て第２抵抗６ｍに流れた場合の第２抵抗６ｍの両端に発生する電位差が等しくなるように設定され、前記電位差は例えば２．０Ｖである。尚、遮断用スイッチング素子９をスイッチング素子７ｍの下流側に設けてもよい。
【００２１】
他方、第２の電流経路Ｂには、その主経路の電源回路側の上方に定電流回路２が設置されており、主経路の定電流回路２の下流側（接地電位側）には、青（Ｂ）の表示用ＬＥＤ１ｂに対応するスイッチング素子３ｂが直列接続され、制御信号入力端子５ｂからの制御信号に基づきスイッチング素子３ｂを開閉して青の表示用ＬＥＤ１ｂを駆動する青の表示用ＬＥＤ回路が設置され、更に、青の表示用ＬＥＤ１ｂ及び対応するスイッチング素子３ｂ或いは青の表示用ＬＥＤ回路の下流側（接地電位側）には、カソードを電源回路４側、アノードを接地電位側にして定電圧ダイオード１１が設置されている。
【００２２】
また、第３抵抗６ｎに対応するスイッチング素子７ｎが直列接続され、制御信号入力端子８ｎからの制御信号に基づきスイッチング素子７ｎを開閉する第３抵抗回路が、主経路の青の表示用ＬＥＤ１ｂ及び対応するスイッチング素子３ｂ或いは青の表示用ＬＥＤ回路に対し、並列接続して設置されている。前記第３抵抗６ｎの抵抗値は、第２の電流経路Ｂの定電流回路２で制御される電流が全て表示用ＬＥＤ１ｂに流れた場合の表示用ＬＥＤ１ｂの両端に発生する電位差（順方向電圧）と、同電流が全て第３抵抗６ｎに流れた場合の第３抵抗６ｎの両端に発生する電位差が等しくなるように設定され、前記電位差は例えば３．５Ｖである。
【００２３】
尚、上記例の表示用ＬＥＤ回路の表示用ＬＥＤ１ｇ、１ｒ、１ｂは１つとしたが、表示用ＬＥＤ１ｇ若しくは１ｒ若しくは１ｂの複数個を直列接続した緑の表示用ＬＥＤ回路と抵抗回路を並列接続して設置し、各抵抗６ｌ若しくは６ｍ若しくは６ｎの抵抗値を、定電流回路２で制御される電流が全て直列接続されている表示用ＬＥＤ１ｇ若しくは１ｒ若しくは１ｂに流れた場合の直列接続の両端の表示用ＬＥＤ１ｇ若しくは１ｒ若しくは１ｂの両端に発生する電位差（順方向電圧）と、同電流が全て抵抗６ｌ若しくは６ｍ若しくは６ｎに流れた場合の抵抗６ｌ若しくは６ｍ若しくは６ｎの両端に発生する電位差が等しくなるように設定する構成等としてもよい。前記構成の電位差は表示用ＬＥＤ１の直列接続数に各表示用ＬＥＤ１による電位差を乗じた値になる。
【００２４】
そして、駆動回路の各スイッチング素子３、７、９は、図に省略した制御部或いは制御回路から各制御信号入力端子５、８、１０に入力される制御信号或いは制御電圧に応じて開閉制御される構成である。
【００２５】
前記開閉制御に於いては、駆動回路の表示用ＬＥＤ回路のスイッチング素子３と、前記表示用ＬＥＤ回路と対応して並列接続される抵抗回路のスイッチング素子７は、図に省略した制御部或いは制御回路から制御信号入力端子５、８に供給される制御信号に応じて、排他的に開閉或いは相反して開閉するようになっている。即ち、スイッチング素子３ｇと７ｌ、スイッチング素子３ｒと７ｍ、スイッチング素子３ｂと７ｎのそれぞれの開状態と閉状態が逆になるように制御信号或いは制御電圧を供給して制御する。
【００２６】
更に、第２抵抗回路の遮断用スイッチング素子９と、上流側の緑の表示用ＬＥＤ１ｇに対応するスイッチング素子３ｇは、図に省略した制御部或いは制御回路から制御信号入力端子１０、５ｇに供給される制御信号に応じて、同調して開閉するようになっており、開状態と閉状態が同じになるように制御信号或いは制御電圧を供給して制御する。
【００２７】
また、青の表示用ＬＥＤ回路や第３抵抗回路と定電圧ダイオード１１との間には出力端子１２が設けられており、第２の電流経路Ｂの定電流回路２で所定量に制御される電流は出力端子１２から導出され、出力端子１２から導出される電流は、上記制御信号入力端子５、８、１０に制御信号を入力して開閉制御等を行う制御部或いは制御回路に供給される。前記構成に対応し、定電圧ダイオード１１の降伏電圧が前記制御部或いは制御回路が必要とする或いは許容可能な電源電圧と同一に設定され、前記定電圧ダイオード１１で例えば２．０Ｖ等の所定の電圧を取得するようになっており、又、前記制御部或いは制御回路が必要とする消費電流は、第２の電流経路Ｂの定電流回路２で制御される所定量の電流と同一或いはそれ以下に設定されている。
【００２８】
上記第１実施形態の駆動回路は図３に示す従来の駆動回路に対し、定電流回路２の個数を２／３に削減することができる。従って、発熱量が大きい定電流回路２の削減に伴って、駆動回路全体の温度上昇を抑制することが可能となる。更に、定電流回路２は高価であることから、その削減により製造コストを削減することができる。尚、第１実施形態の駆動回路の構成は、図３の駆動回路構成に比し若干複雑化し、その分コスト上昇するものの、前記コスト削減効果は前記コスト上昇分を補って余り有るものである。
【００２９】
また、第１実施形態の表示用ＬＥＤの駆動回路は、表示用ＬＥＤ回路とその表示用ＬＥＤ１と同一の電位差が得られる抵抗６を有する対応する抵抗回路を並列接続し、その対応するスイッチング素子３、７を排他的に或いは相反して開閉して、抵抗回路を表示用ＬＥＤ１の消灯時の電流パスとすることにより、各表示用ＬＥＤ１に所望の電圧を印加することが可能になると共に、表示用ＬＥＤ１ｂの点灯時と消灯時に於いて出力端子１２を所定電位にすることが可能になる。更に定電圧ダイオード１１を設置することにより、上記制御部或いは制御回路に供給する電源電圧を出力端子１２から安定して導出することができるので、制御部や制御回路用の電源回路の設置が不要となる。尚、表示用ＬＥＤ１ｂと対応する第３抵抗６ｎを設けることにより、定電圧ダイオード１１に許容損失が小さいものを用い、出力端子１２から安定して電源電圧を導出することができると共に、低コスト化を図ることができる。
【００３０】
更に、第１実施形態の表示用ＬＥＤの駆動回路は、電源回路４の電源電圧或いは電源回路４と接地間の電位差を図３の従来の駆動回路の場合よりも高く設定する必要があるが、上記定電流回路２の個数削減により、表示用ＬＥＤの全点灯時等の電源利用効率を高くすることができ、更には出力端子１２からの電源電圧の導出により、電源利用効率を一層高くすることができる。
【００３１】
また、制御信号の入力によりスイッチング素子３ｇ、３ｒを開状態にして、第１の電流経路Ａで直列に接続されている表示用ＬＥＤ１ｇ、１ｒの両方を消灯状態にした場合に、スイッチング素子３ｇと同様に開状態や閉状態となるように連動して制御される遮断用スイッチング素子９が開状態になることにより、第１の電流経路Ａの定電流回路２に流れる電流を遮断し、第２の電流経路Ｂの定電流回路２に流れる電流だけに抑えることが可能となり、消費電流の低減を図り省力化することができる。
【００３２】
更に、図３に示す従来の駆動回路は、回路全体の消費電流量として、表示用ＬＥＤの３個分の点灯に必要な電流に制御部或いは制御回路の消費電流を加えたものが必要となるが、第１実施形態の駆動回路は、制御部或いは制御回路の消費電流も含めた回路全体の消費電流量を、表示用ＬＥＤの２個分の点灯に必要な電流に抑制することができ、かかる点からも消費電流の低減を図り省力化することができる。
【００３３】
尚、第１実施形態の表示用ＬＥＤの駆動回路は、第１の電流経路Ａに上流側（電源回路４側）から緑の表示用ＬＥＤ１ｇ、赤の表示用ＬＥＤ１ｒを直列接続して設置し、第２の電流経路Ｂに上流側（電源回路４側）から青の表示用ＬＥＤ１ｂを設置する構成としたが、本発明に於いて、第１の電流経路Ａに直列接続して設置する２つの表示用ＬＥＤや第２の電流経路Ｂに設置する表示用ＬＥＤは、ＲＧＢの表示用ＬＥＤを設置する構成であれば、赤、緑、青の中から適宜選択して設置することが可能である。
【００３４】
但し、緑や青の表示用ＬＥＤ１ｇ、１ｂより電圧降下が小さい赤の表示用ＬＥＤ１ｒを第１の電流経路Ａの下流側（接地側）に設置し、第１の電流経路Ａの上流側（電源回路４側）に緑の表示用ＬＥＤ１ｇ若しくは青の表示用ＬＥＤ１ｂを設置し、第２の電流経路Ｂに青の表示用ＬＥＤ１ｂ若しくは緑の表示用ＬＥＤ１ｇを設置すると、第１の電流経路Ａと第２の電流経路Ｂで電圧降下を平均化することができ、必要な電源電圧を低めて駆動回路の負担を軽減することが可能となって好適である。
【００３５】
また、第１実施形態の駆動回路では、第１の電流経路Ａや第２の電流経路Ｂの主経路の最も上方に定電流回路２を設置する構成としたが、本発明で定電流回路２を設置する箇所は適宜であり、吐き出し型の定電流回路２や吸い込み型の定電流回路２を適宜用いることが可能である。また、遮断用スイッチング素子９を設置する箇所は、直列接続された表示用ＬＥＤの両方が消灯状態の場合に、その電流経路の電流を遮断できる箇所であれば適宜である。又、本発明に於ける定電流回路には、能動素子を用いた定電流回路の他、抵抗１個など抵抗による定電流回路も包含される。
【００３６】
また、本発明には、例えば図２に示すような第２実施形態の表示用ＬＥＤの駆動回路も包含される。尚、図２に於いて第１実施形態と同一符号は第１実施形態と同一の構成部である。
【００３７】
図２の駆動回路は、表示用ＬＥＤ１ｂ、１ｇ、１ｒと対応するスイッチング素子３ｂ、３ｇ、３ｒがそれぞれ直列接続された表示用ＬＥＤ回路が全て直列に接続され、抵抗６ｎ、６ｌ、６ｍと対応するスイッチング素子８ｎ、８ｌ、８ｍがそれぞれ直列接続された抵抗回路が、各々表示用ＬＥＤ回路に対して並列接続されている構成であり、赤の表示用ＬＥＤ回路に並列接続された抵抗回路には第１実施形態と同様に遮断用スイッチング素子９が設置されている。そして、スイッチング素子３ｇと７ｌ、スイッチング素子３ｒと７ｍ、スイッチング素子３ｂと７ｎのそれぞれの開状態と閉状態が逆になるように制御され、又、遮断用スイッチング素子９と、その直前の上流側に設置されている緑の表示用ＬＥＤ１ｇに対応するスイッチング素子３ｇは、開状態と閉状態が同じになるように制御される。
【００３８】
上記第２実施形態の駆動回路は図３に示す従来の駆動回路に対し、定電流回路２の個数を１／３に削減することができ、より回路全体の温度上昇の抑制や低コスト化を図ることができ、電源利用効率を高くすることができる。また、各抵抗回路のスイッチング素子７を対応する各表示用ＬＥＤ回路のスイッチング素子３と排他的に或いは相反して開閉し、各表示用ＬＥＤ１に所望の電圧を印加することができる。また、回路全体の消費電流を表示用ＬＥＤの１個分の点灯や制御回路等に必要な電流に抑制し、更に遮断用スイッチング素子９を設置することにより、消費電流の低減を図り省力化することができる。
【００３９】
尚、図１、２の構成で、遮断用スイッチング素子９を省略し、スイッチング素子３、７の開閉の相反制御以外の所要時に、スイッチング素子３ｒと７ｍを同時に開状態にしてＯＦＦする制御を実行する構成、或いはスイッチング素子３ｇと７ｌを同時に開状態にしてＯＦＦする制御を実行する構成、図２の構成で、所要時に、スイッチング素子３ｂと７ｎを同時に開状態にしてＯＦＦする制御を実行する構成等を設け、前記構成で電流を遮断し、消費電流の低減を図ることも可能である。
【００４０】
【発明の効果】
本発明の表示用ＬＥＤの駆動回路は、定電流回路或いは電流制限回路を削減することが可能であり、そのため、駆動回路の温度上昇の抑制、ＬＥＤの故障防止や長寿命化、製造コストの低減、電源利用効率の向上等の効果を奏し、又、定電流回路を削減した回路構成により、所要の明るさを得つつ回路全体の消費電流を削減することが可能であり、ランニングコストの低下や省力化を図ることができる。また、定電圧ダイオードを設置することにより、電源利用効率の向上を図ることができる。
【図面の簡単な説明】
【図１】第１実施形態に於ける表示用ＬＥＤの駆動回路の構成を示す図。
【図２】第２実施形態に於ける表示用ＬＥＤの駆動回路の構成を示す図。
【図３】従来例の表示用ＬＥＤの駆動回路の構成を示す図。
【符号の説明】
１ｒ、１ｇ、１ｂ  表示用ＬＥＤ
２  定電流回路
３ｒ、３ｇ、３ｂ、７ｌ、７ｍ、７ｎ、９  スイッチング素子
４  電源回路
５ｒ、５ｇ、５ｂ、８ｌ、８ｍ、８ｎ、１０  制御信号入力端子
６ｌ、６ｍ、６ｎ  抵抗
１１  定電圧ダイオード
１２  出力端子
Ａ  第１の電流経路
Ｂ  第２の電流経路
【図１】
2004317786.tif 000003
【図２】
2004317786.tif 000004
【図３】
2004317786.tif 000005